(57)【要約】【課題】  歌唱者本人だけに歌詞ガイド音声が聞き取りやすい楽音発生装置を提供すること。【解決手段】  歌詞ガイド音声を出力したいスピーカを歌唱者に設定画面から指定させて受け付け（Ｓ１５）、その指定に従って指定されたスピーカからの演奏音量や歌詞ガイド音声音量のバランスを設定する（Ｓ２０，Ｓ２２）。また、歌唱者の指定によらず、歌唱者の位置を検出して（Ｓ１７）、その位置に最も近いスピーカを特定スピーカとして、演奏音量や歌詞ガイド音声音量のバランスを設定する（Ｓ２０，Ｓ２２）。さらに、個別のスピーカの演奏音量や歌詞ガイド音声音量を歌唱者に指定させることもできる（Ｓ１９）。【選択図】  図５
2005037827.tif 000002
【特許請求の範囲】
【請求項１】
複数のスピーカと、
曲データを再生して前記スピーカから演奏音を出力する曲再生手段と、
歌詞データに基づいて音声信号を生成する音声信号生成手段と、
当該音声信号生成手段により生成された音声信号に基づいて、曲の歌詞を所定のタイミングで歌詞音声として前記スピーカから出力する歌詞音声出力手段とを備えた楽音発生装置において、
前記複数のスピーカから１又は複数の特定スピーカを指定するスピーカ指定手段と、
当該スピーカ指定手段により指定された特定スピーカから出力される演奏音の音量を、残余のスピーカから出力される演奏音の音量と異なるように制御する演奏音量制御手段と、
前記スピーカ指定手段により指定された特定スピーカから出力される歌詞音声の音量を、残余のスピーカから出力される歌詞音声の音量と異なるように制御する歌詞音声音量制御手段とを備えたことを特徴とする楽音発生装置。
【請求項２】
歌唱者の位置を検出する位置検出手段を備え、
前記スピーカ指定手段は、当該位置検出手段により検出された歌唱者位置に最も近いスピーカを指定することを特徴とする請求項１に記載の楽音発生装置。
【請求項３】
スピーカ付きマイクを備え、
前記スピーカ指定手段は、当該スピーカ付きマイクを特定スピーカとして指定することを特徴とする請求項１に記載の楽音発生装置。
【請求項４】
前記演奏音量制御手段は、前記特定スピーカから出力される演奏音の音量を残余のスピーカから出力される演奏音の音量よりも小さくすることを特徴とする請求項１乃至３のいずれかに記載の楽音発生装置。
【請求項５】
前記歌詞音声音量制御手段は、前記特定スピーカから出力される歌詞音声の音量を残余のスピーカから出力される歌詞音声の音量よりも大きくすることを特徴とする請求項１乃至４のいずれかに記載の楽音発生装置。
【請求項６】
前記特定スピーカから出力される演奏音の音量又は歌詞音声の音量を指定して入力する音量入力手段を備え、
当該音量入力手段により指定音量が入力された場合には、前記演奏音量制御手段及び前記歌詞音声音量制御手段は、その指定音量に基づいて演奏音量及び歌詞音声音量を制御することを特徴とする請求項１に記載の楽音発生装置。
【発明の詳細な説明】
【技術分野】
【０００１】
本発明は、カラオケ装置等の楽音発生装置に関するものである。
【背景技術】
【０００２】
一般に、カラオケ装置等の楽音発生装置では、リクエスト曲の歌詞を歌唱者に報知する方法として、モニタの画面上に表示される背景画像の下部等に歌詞の文字をスーパーインポーズさせて表示させている。また、歌唱者が運転中等の理由でモニタ画面を見ることができない場合には、歌詞データを音声合成して音声によって歌詞を報知する提案もなされている（特許文献１参照）。
【特許文献１】特開平９−１９８０６２号公報
【発明の開示】
【発明が解決しようとする課題】
【０００３】
しかしながら、演奏や歌詞ガイド音声を出力するスピーカが複数ある場合、どのスピーカからも同音量で演奏や歌詞ガイド音声が出力されるため、歌唱者以外の人にも歌詞ガイド音声が大きく聞こえてしまい、演奏を聴く妨げになったり、歌唱者が歌詞を覚えていないことが際だってしまう問題があった。
【０００４】
本発明はこのような問題を解決するためになされたものであり、歌唱者本人だけに歌詞ガイド音声が聞き取りやすい楽音発生装置を提供することを目的とする。
【課題を解決するための手段】
【０００５】
上記目的を達成するために、請求項１に記載の発明の楽音発生装置は、複数のスピーカと、曲データを再生して前記スピーカから演奏音を出力する曲再生手段と、歌詞データに基づいて音声信号を生成する音声信号生成手段と、当該音声信号生成手段により生成された音声信号に基づいて、曲の歌詞を所定のタイミングで歌詞音声として前記スピーカから出力する歌詞音声出力手段とを備えた楽音発生装置において、前記複数のスピーカから１又は複数の特定スピーカを指定するスピーカ指定手段と、当該スピーカ指定手段により指定された特定スピーカから出力される演奏音の音量を、残余のスピーカから出力される演奏音の音量と異なるように制御する演奏音量制御手段と、前記スピーカ指定手段により指定された特定スピーカから出力される歌詞音声の音量を、残余のスピーカから出力される歌詞音声の音量と異なるように制御する歌詞音声音量制御手段とを備えている。
【０００６】
請求項２に記載の発明の楽音発生装置は、請求項１に記載の発明の構成に加え、歌唱者の位置を検出する位置検出手段を備え、前記スピーカ指定手段は、当該位置検出手段により検出された歌唱者位置に最も近いスピーカを指定することを特徴とする。
【０００７】
請求項３に記載の発明の楽音発生装置は、請求項１に記載の発明の構成に加え、スピーカ付きマイクを備え、前記スピーカ指定手段は、当該スピーカ付きマイクを特定スピーカとして指定することを特徴とする。
【０００８】
請求項４に記載の発明の楽音発生装置は、請求項１乃至３のいずれかに記載の発明の構成に加え、前記演奏音量制御手段は、前記特定スピーカから出力される演奏音の音量を残余のスピーカから出力される演奏音の音量よりも小さくすることを特徴とする。
【０００９】
請求項５に記載の発明の楽音発生装置は、請求項１乃至４のいずれかに記載の発明の構成に加え、前記歌詞音声音量制御手段は、前記特定スピーカから出力される歌詞音声の音量を残余のスピーカから出力される歌詞音声の音量よりも大きくすることを特徴とする。
【００１０】
請求項６に記載の発明の楽音発生装置は、請求項１に記載の発明の構成に加え、前記特定スピーカから出力される演奏音の音量又は歌詞音声の音量を指定して入力する音量入力手段を備え、当該音量入力手段により指定音量が入力された場合には、前記演奏音量制御手段及び前記歌詞音声音量制御手段は、その指定音量に基づいて演奏音量及び歌詞音声音量を制御することを特徴とする。
【発明の効果】
【００１１】
請求項１に記載の発明の楽音発生装置によれば、スピーカ指定手段が複数のスピーカから１又は複数の特定スピーカを指定すると、その特定スピーカから出力される演奏音の音量や歌詞音声の音量が、残余のスピーカから出力される演奏音の音量や歌詞音声の音量と異なるように制御される。従って、例えば歌唱者の位置に近いスピーカを特定スピーカとすれば、歌唱者本人には歌詞ガイド音声が聞き取りやすく、聴衆には歌詞ガイド抜きの演奏が聞きやすくすることが可能である。
【００１２】
請求項２に記載の発明の楽音発生装置によれば、請求項１に記載の発明の効果に加え、位置検出手段により歌唱者の位置を検出し、その検出された歌唱者位置に最も近いスピーカを特定スピーカと指定するので、歌唱者本人には歌詞ガイド音声が聞き取りやすく、聴衆には歌詞ガイド抜きの演奏が聞きやすくすることが可能である。
【００１３】
請求項３に記載の発明の楽音発生装置によれば、請求項１に記載の発明の効果に加え、スピーカ付きマイクを特定スピーカとして指定するので、歌唱者本人だけに歌詞ガイドが聞こえるようにすることが可能となる。
【００１４】
請求項４に記載の発明の楽音発生装置によれば、請求項１乃至３のいずれかに記載の発明の効果に加え、特定スピーカから出力される演奏音の音量を残余のスピーカから出力される演奏音の音量よりも小さくする。従って、歌唱者は演奏音が小さく抑えられるため、歌詞ガイド音声が聞き取りやすくなり、スムーズに歌唱を行なうことができる。
【００１５】
請求項５に記載の発明の楽音発生装置によれば、請求項１乃至４のいずれかに記載の発明の効果に加え、特定スピーカから出力される歌詞音声の音量を残余のスピーカから出力される歌詞音声の音量よりも大きくする。従って、歌唱者は、歌詞ガイド音声がより聞き取りやすくなり、スムーズに歌唱を行なうことができる。
【００１６】
請求項６に記載の発明の楽音発生装置によれば、請求項１に記載の発明の効果に加え、特定スピーカから出力される演奏音の音量又は歌詞音声の音量を指定して入力し、入力された音量に基づいて音量が制御されるので、歌唱者は好みの音量で歌唱を行なうことができる。
【発明を実施するための最良の形態】
【００１７】
次に本発明を実施するための最良の形態について図面を参照して説明する。図１は本発明による楽音発生装置の一例を示すカラオケ装置１の回路ブロック図である。カラオケ装置１は、カラオケ装置１全体を制御するＣＰＵ１１と、各種プログラムを記憶するＲＯＭ１２と、各種データを記憶するＲＡＭ１３と、音量入力手段である操作パネル２１と、外部記憶装置１４と、ＭＩＤＩ音源１５と、表示用のビデオモニタ１７と、ビデオモニタ１７を制御するビデオコントローラ１６と、ＭＩＤＩ音源１５からの音響と歌唱者の音声を混合するミキサ１８と、４つ設けられたスピーカであるスピーカＡ３６，スピーカＢ３７，スピーカＣ３８，スピーカＤ３９と、これらのそれぞれに接続されたアンプ３１，アンプ３２，アンプ３３，アンプ３４と、アンプ２４と、マイク２５と、アンプ２４からの音声信号にエコーを施すエコー回路２３とから構成されている。
【００１８】
４つのスピーカは、例えばカラオケ装置１を車両に搭載した場合、車両の前方左右に各１台、後方左右に各１台設置される。すなわち、スピーカＡ３６は前右に、スピーカＢ３７は前左に、スピーカＣ３８は後右に、スピーカＤ３９は後左に設置されている。なお、スピーカの位置はこれに限られるものではない。また、これらのスピーカに加えて、マイク２５にもスピーカを設けるように構成してもよい。
【００１９】
操作パネル２１は、テンキーやカーソルキー等を含む各種の操作キーからなり、ビデオモニタ１７に表示される画面を介して、リクエスト曲の入力、手動入力による歌詞ガイド出力スピーカの選択、各スピーカからの演奏音量やガイド音声音量の入力等ができるようになっている。
【００２０】
外部記憶装置１４は、ハードディスクや不揮発メモリから構成され、曲の伴奏音を生成するためのＭＩＤＩデータである曲データベース４１、漢字かな混じりのテキストデータで構成された歌詞データとこれに対応する読みデータのデータベースである歌詞データベース４２、背景画像を生成するためのビデオデータベース４３、各スピーカから出力される演奏音量の比率を記憶した演奏音量調整データベース５１、各スピーカから出力される歌詞ガイド音声の音量の比率を記憶したガイド音量調整データベース５２、歌詞データを音声合成する際に使用される音声合成辞書６１、合成音声の音節毎の継続時間を記憶した音節長データベース６２が記憶されている。
【００２１】
曲再生手段であるＭＩＤＩ音源１５は、曲データベース４１に記憶されたＭＩＤＩデータに基づいて伴奏音の音響信号を生成する。ビデオコントローラ１６は、ビデオデータベース４３内のビデオデータや歌詞データベース４２内の歌詞データに基づいて、曲の背景映像に歌詞のテロップをスーパーインポーズしてビデオモニタ１７の画面上に映し出させる。
【００２２】
ミキサ１８は、ＭＩＤＩ音源１５により生成された伴奏音の音響信号とエコー回路２３からの歌唱者の音声信号とを混合してアンプ３１〜３４に出力するとともに、歌詞データベース４２内の歌詞データに音声合成辞書６１を使用して生成された合成音声信号をアンプ３１〜３４に出力する。アンプ３１〜３４は、ミキサ１８からの信号を増幅してスピーカＡ３６，スピーカＢ３７，スピーカＣ３８，スピーカＤ３９を駆動する。スピーカＡ３６，スピーカＢ３７，スピーカＣ３８，スピーカＤ３９は、アンプ３１〜３４からの信号を音として出力する。エコー回路２３は、アンプ２４からの音声信号にエコー処理を施す。アンプ２４は、マイク２５からの音声信号を増幅する。マイク２５は、歌唱者の歌声を音声信号に変換する。
【００２３】
次に、外部記憶装置１４に記憶されている演奏音量調整データベース５１及びガイド音量調整データベース５２について図２及び図３を参照して説明する。図２は、演奏音量調整データベース５１の構成を模式的に示すブロック図である。図３は、ガイド音量調整データベース５２の構成を模式的に示すブロック図である。
【００２４】
図２に示すように、演奏音量調整データベース５１には、歌唱者に近いスピーカとして検出されたスピーカ又は歌唱者により指定されたスピーカを１つ特定した場合に、各スピーカから出力される演奏音量の規定値に比べた割合が記憶されている。ここで、曲データベース４１に記憶されているＭＩＤＩデータのマスターボリュームを規定値としている。スピーカＡが特定スピーカである場合には、スピーカＡからは規定値の０．３倍の音量で、残りのスピーカＢ〜Ｄからは規定値通りの音量で出力される。スピーカＢが特定スピーカである場合には、スピーカＢからは規定値の０．３倍の音量で、残りのスピーカＡ，Ｃ，Ｄからは規定値通りの音量で出力される。スピーカＣが特定スピーカである場合には、スピーカＣからは規定値の０．３倍の音量で、残りのスピーカＡ，Ｂ，Ｄからは規定値通りの音量で出力される。スピーカＤが特定スピーカである場合には、スピーカＤからは規定値の０．３倍の音量で、残りのスピーカＡ〜Ｃからは規定値通りの音量で出力される。従って、特定スピーカからは演奏音量が抑えられて出力されるため、歌詞ガイド音声が聞き取りやすくなり、スムーズに歌唱を行なうことができる。なお、特定スピーカが２つ以上ある場合には、全ての特定スピーカからの出力音量を０．３倍とし、特定スピーカ以外のスピーカからの出力音量を規定値通りとするように構成すればよい。また、規定値に対する各スピーカからの出力音量の割合は、図２に記載の数値に限られるものではない。
【００２５】
また、図３に示すように、ガイド音量調整データベース５２には、歌唱者に近いスピーカとして検出されたスピーカ又は歌唱者により指定されたスピーカを１つ特定した場合に、各スピーカから出力される歌詞ガイド音声の音量の規定値に比べた割合が記憶されている。ここで、曲データベース４１に記憶されているＭＩＤＩデータのマスターボリュームに相当する音量を規定値としている。なお、マスターボリュームに適当な倍率(例えば０．７倍)を乗じた音量に相当する音量を規定値にしてもよい。スピーカＡが特定スピーカである場合には、スピーカＡからは規定値通りの音量で出力され、残りのスピーカＢ〜Ｄからは出力されない。スピーカＢが特定スピーカである場合には、スピーカＢからは規定値通りの音量で出力され、残りのスピーカＡ，Ｃ，Ｄからは出力されない。スピーカＣが特定スピーカである場合には、スピーカＣからは規定値通りの音量で出力され、残りのスピーカＡ，Ｂ，Ｄからは出力されない。スピーカＤが特定スピーカである場合には、スピーカＤからは規定値通りの音量で出力され、残りのスピーカＡ〜Ｃからは出力されない。従って、特定スピーカからのみ歌詞ガイド音声が出力されるため、歌唱者以外には歌詞ガイドがほとんど聞こえず、歌唱者が歌詞を覚えていない場合にもそれが際だたないとともに、聴衆には歌詞ガイドが聞こえないので煩わしくなく快適に聴くことができる。なお、特定スピーカが２つ以上ある場合には、全ての特定スピーカから規定値通りに出力し、特定スピーカ以外のスピーカから出力しないように構成すればよい。また、規定値に対する各スピーカからの出力音量の割合は、図３に記載の数値に限られるものではない。例えば、特定スピーカ以外のスピーカからも０．３倍程度に音量を落として出力するようにしてもよい。
【００２６】
次に、ＲＡＭ１３の記憶領域について図４を参照して説明する。図４は、ＲＡＭ１３の記憶領域を示す模式図である。ＲＡＭ１３には、歌唱者が選択した曲のデータを曲データベース４１から読み込んで一時的に記憶するリクエスト曲記憶領域１３０，リクエスト曲の歌詞データを一時的に記憶する歌詞データ記憶領域１３１，スピーカＡ３６から出力される演奏音量を記憶するスピーカＡ演奏音量記憶領域１３２，スピーカＢ３７から出力される演奏音量を記憶するスピーカＢ演奏音量記憶領域１３３，スピーカＣ３８から出力される演奏音量を記憶するスピーカＣ演奏音量記憶領域１３４，スピーカＤ３９から出力される演奏音量を記憶するスピーカＤ演奏音量記憶領域１３５，スピーカＡ３６から出力される歌詞ガイド音声の音量を記憶するスピーカＡガイド音声音量記憶領域１３６，スピーカＢ３７から出力される歌詞ガイド音声の音量を記憶するスピーカＢガイド音声音量記憶領域１３７，スピーカＣ３８から出力される歌詞ガイド音声の音量を記憶するスピーカＣガイド音声音量記憶領域１３８，スピーカＤ３９から出力される歌詞ガイド音声の音量を記憶するスピーカＤガイド音声音量記憶領域１３９が設けられている。尚、ＲＡＭ１３には、これらの他にも図示外の各種の記憶領域が用意されている。
【００２７】
次に、このように構成されたカラオケ装置１の動作について図５のフローチャート、図６及び図７の表示画面の例を参照して説明する。図５は、カラオケ装置１の全体の流れを示すメインルーチンのフローチャートである。図６は、歌唱者が歌詞ガイド音声を出力するスピーカを指定する設定画面１００の例を示したイメージ図である。図７は、歌唱者が各スピーカからの演奏音量やガイド音声音量を個別に指定する個別指定画面２００の例を示したイメージ図である。以下、フローチャートの各ステップは、「Ｓ」と略記する。
【００２８】
まず、歌唱者が選択した曲を受け付け、その曲データを曲データベース４１から読み出してリクエスト曲記憶領域１３０に、歌詞データを歌詞データベース４２から読み出して歌詞データ記憶領域１３１に記憶する（Ｓ１０）。次に、使用者が歌詞ガイド音声出力のための設定画面表示を選択したか否かを判断する（Ｓ１２）。設定画面表示が選択されていない場合は（Ｓ１２：ＮＯ）、Ｓ１７に進み、歌唱者位置の検出処理を行なう。
【００２９】
設定画面表示が選択された場合には（Ｓ１２：ＹＥＳ）、図６のような設定画面１００をビデオモニタ１７に表示して、使用者に歌詞ガイド音声を出力するスピーカを指定するように促す（Ｓ１４）。図６に示すように、設定画面１００は、タッチパネルで構成されており、歌詞ガイド音声を出力したいスピーカを、スピーカＡ，Ｂ，Ｃ，Ｄの中から該当部分の画面を直接触って指定できる。通常は、自分が座っている位置に最も近い位置のスピーカを指定すると考えられる。スピーカを１つではなく２つ以上選択できるようにしてもよい。また、設定画面１００からは、自動ボタン１０１を触って選択し、自動で設定を行なうようにも指定できる。さらに、個別指定ボタン１０２を触って選択すれば、図７に示す個別指定画面２００に移行し、個々のスピーカから出力される演奏音量や歌詞ガイド音声音量も個別に指定できるようになっている。
【００３０】
設定画面１００上の「決定」ボタンが押されて入力が終了すると、入力された設定情報を受け付ける（Ｓ１５）。そして、「自動」が選択されたか否かを判断する（Ｓ１６）。自動設定が選択された場合には（Ｓ１６：ＹＥＳ）、歌唱者位置の検出処理を行なう（Ｓ１７）。歌唱者位置検出の方法としては、スピーカをマイクとして用いる方法、赤外線により距離を測定する方法等の周知の方法を用いることができる。なお、マイク２５にスピーカが設けられている場合には、マイク２５に付属のスピーカを特定スピーカとして自動的に選択するようにしてもよい。
【００３１】
前者の方法では、歌唱者にまず発声してもらい、各スピーカ３６〜３９をマイクとして機能させてその発声を拾い上げ、最も鮮明に発声を拾ったスピーカを特定スピーカとするように構成する。ここで、スピーカは電気信号を振動エネルギーに変換することによって音声を出力する装置であり、マイクは振動を電気エネルギーに変換することによって電気信号を出力する装置であるから、スピーカをマイクとして機能させることが可能である。後者の方法では、マイク２５に赤外線発光部、各スピーカ３６〜３９に赤外線受光センサを設け、各センサの受光量を計算して最も大きい数値のスピーカを特定スピーカとするように構成する。
【００３２】
自動設定が選択されなかった場合には（Ｓ１６：ＮＯ）、個別指定ボタン１０２により個別に出力音量を指定するよう入力されたか否かを判断する（Ｓ１８）。個別指定が選択された場合には（Ｓ１８：ＹＥＳ）、図７のような個別指定画面２００を表示する（Ｓ１９）。個別指定画面２００は、設定画面１００と同様にタッチパネルで構成されており、ボリュームバー２０１を直接手で触って動かすことにより、各スピーカから出力させる演奏音量と歌詞ガイド音声の音量を個別に指定することができる。
【００３３】
個別指定が終了後、もしくは、個別指定が選択されなかった場合には（Ｓ１８：ＮＯ）、演奏音量バランス設定処理を行なう（Ｓ２０）。具体的には、Ｓ１９の個別指定が行なわれた場合には指定された数値を規定値に対する割合として、スピーカＡ演奏音量記憶領域１３２，スピーカＢ演奏音量記憶領域１３３，スピーカＣ演奏音量記憶領域１３４，スピーカＤ演奏音量記憶領域１３５にそのまま記憶する。例えば、個別指定画面２００において、スピーカＡについて演奏音量が０．５，歌詞ガイド音量が１．２、スピーカＢについて演奏音量が１．０，歌詞ガイド音量が０．３、スピーカＣについて演奏音量が１．２，歌詞ガイド音量が０．３、スピーカＤについて演奏音量が１．２，歌詞ガイド音量が０．３と入力されたとすると、スピーカＡ演奏音量記憶領域１３２に０．５が、スピーカＢ演奏音量記憶領域１３３に１．０が、スピーカＣ演奏音量記憶領域１３４に１．２が、スピーカＤ演奏音量記憶領域１３５に１．２が記憶される。
【００３４】
また、設定画面１００においてスピーカが指定されていたり、Ｓ１７の歌唱者位置検出処理において特定スピーカが指定されていれば、その特定スピーカについての各スピーカの演奏音量割合を図２に示す演奏音量調整データベースから読み出して、スピーカＡ演奏音量記憶領域１３２，スピーカＢ演奏音量記憶領域１３３，スピーカＣ演奏音量記憶領域１３４，スピーカＤ演奏音量記憶領域１３５に記憶する。例えば、スピーカＢが特定スピーカとして指定されていれば、スピーカＡ演奏音量記憶領域１３２に１．０が、スピーカＢ演奏音量記憶領域１３３に０．３が、スピーカＣ演奏音量記憶領域１３４に１．０が、スピーカＤ演奏音量記憶領域１３５に１．０が記憶される。
【００３５】
このようにして各スピーカからの演奏音量が決定すると、次に、歌詞ガイド音声の出力音量バランス設定処理を行なう（Ｓ２２）。具体的には、Ｓ１９の個別指定が行なわれた場合には指定された数値を規定値に対する割合として、スピーカＡガイド音声音量記憶領域１３６，スピーカＢガイド音声音量記憶領域１３７，スピーカＣガイド音声音量記憶領域１３８，スピーカＤガイド音声音量記憶領域１３９にそのまま記憶する。例えば、個別指定画面２００において、スピーカＡについて演奏音量が０．５，歌詞ガイド音量が１．２、スピーカＢについて演奏音量が１．０，歌詞ガイド音量が０．３、スピーカＣについて演奏音量が１．２，歌詞ガイド音量が０．３、スピーカＤについて演奏音量が１．２，歌詞ガイド音量が０．３と入力されたとすると、スピーカＡガイド音声音量記憶領域１３６に１．２が、スピーカＢガイド音声音量記憶領域１３７に０．３が、スピーカＣガイド音声音量記憶領域１３８に０．３が、スピーカＤガイド音声音量記憶領域１３９に０．３が記憶される。
【００３６】
また、設定画面１００においてスピーカが指定されていたり、Ｓ１７の歌唱者位置検出処理において特定スピーカが指定されていれば、その特定スピーカについての各スピーカのガイド音声音量割合を図３に示すガイド音声音量調整データベースから読み出して、スピーカＡガイド音声音量記憶領域１３６，スピーカＢガイド音声音量記憶領域１３７，スピーカＣガイド音声音量記憶領域１３８，スピーカＤガイド音声音量記憶領域１３９に記憶する。例えば、スピーカＢが特定スピーカとして指定されていれば、スピーカＡガイド音声音量記憶領域１３６に０が、スピーカＢガイド音声音量記憶領域１３７に１．０が、スピーカＣガイド音声音量記憶領域１３８に０が、スピーカＤガイド音声音量記憶領域１３９に０が記憶される。
【００３７】
以上により各スピーカからの演奏音量と歌詞ガイド音声の音量が設定されると、Ｓ１０でリクエスト曲記憶領域１３０に記憶したリクエスト曲の演奏データをＭＩＤＩ音源１５に送出して演奏を開始する（Ｓ２４）。次に、歌詞テロップを背景映像にスーパーインポーズさせてビデオモニタ１７に表示するように信号をビデオコントローラ１６に出力する（Ｓ２８）。この歌詞テロップ表示は行なわず、歌詞ガイド音声の出力のみ行なうように構成することもできる。
【００３８】
次に、歌詞データ記憶領域１３１に記憶されている歌詞データを音声合成処理する（Ｓ３０）。この音声合成処理では、周知の方法により音声合成辞書６１を用いてアクセント付き読み文字列を生成し、音節長データベース６２を用いて歌詞ガイド音声の出力（読上げ）にかかる時間を算出する。アクセント付き読み文字列は、あらかじめ歌詞データベース４２に持たせておいてもよい。そして、算出された時間と読上げを終了すべき時期（対象となる歌詞の演奏が始まるとき）とから読上げ開始時刻を算出する。この読上げ開始時刻を示す信号とともに、生成された合成音声データをミキサ１８に出力する（Ｓ３２）。
【００３９】
次に、リクエスト曲の演奏が終了したか否かを判断する（Ｓ３４）。演奏終了であれば（Ｓ３４：ＹＥＳ）、処理を終了する。演奏終了でなければ（Ｓ３４：ＮＯ）、Ｓ２８に戻り、演奏が終了するまで継続して歌詞ガイドの出力を行なう。
【００４０】
なお、演奏が終了しない場合に（Ｓ３４：ＮＯ）、Ｓ１２に戻り、歌詞ガイドの出力を行なうスピーカの位置の指定を曲の途中でも行えるように構成してもよい。このように構成すれば、曲の途中で歌唱者が交代するような場合にも、その歌唱者の位置に近いスピーカから歌詞ガイドが出力され、スムーズに歌唱を継続することができる。
【００４１】
以上説明したように、本実施形態のカラオケ装置１によれば、歌唱者に近いスピーカを特定スピーカとして指定し、そのスピーカから出力される演奏音量を抑えるとともに歌詞ガイド音声はそのスピーカからのみ出力されるので、歌唱者が歌詞ガイドを聞き取りやすくスムーズに歌うことができるとともに、聴衆は歌詞ガイドがほとんど聞こえないので煩わしさを感じることなく演奏と歌唱を聴くことができる。
【００４２】
尚、本実施の形態において、図５のフローチャートのＳ３０において音声合成処理を実行するＣＰＵ１１が音声信号生成手段として機能する。また、図５のフローチャートのＳ３２において合成音声データ出力（読上げ）処理を実行するＣＰＵ１１が歌詞音声出力手段として機能する。さらに、図５のフローチャートのＳ１５において設定受付処理を実行するＣＰＵ１１がスピーカ指定手段として機能する。また、図５のフローチャートのＳ２０において演奏音量バランス設定処理を実行するＣＰＵ１１が演奏音量制御手段として機能する。さらに、図５のフローチャートのＳ２２においてガイド音声音量バランス設定処理を実行するＣＰＵ１１が歌詞音声音量制御手段として機能する。また、図５のフローチャートのＳ１７において歌唱者位置検出処理を実行するＣＰＵ１１が位置検出手段として機能する。
【産業上の利用可能性】
【００４３】
本発明の楽音発生装置は、音声による歌詞ガイドや演奏のスピーカからの音量を複数あるスピーカのうち歌唱者の位置に応じて変更することができ、携帯用カラオケ装置や車載用カラオケ装置等の音声による歌詞ガイドが適切であり、スピーカが複数ある場合に利用できる。
【図面の簡単な説明】
【００４４】
【図１】本発明による楽音発生装置の一例を示すカラオケ装置１の回路ブロック図である。
【図２】演奏音量調整データベース５１の構成を模式的に示すブロック図である。
【図３】ガイド音量調整データベース５２の構成を模式的に示すブロック図である。
【図４】ＲＡＭ１３の記憶領域を示す模式図である。
【図５】カラオケ装置１の全体の流れを示すメインルーチンのフローチャートである。
【図６】歌唱者が歌詞ガイド音声を出力するスピーカを指定する設定画面１００の例を示したイメージ図である。
【図７】歌唱者が各スピーカからの演奏音量やガイド音声音量を個別に指定する個別指定画面２００の例を示したイメージ図である。
【符号の説明】
【００４５】
１      カラオケ装置
１４      外部記憶装置
２１      操作パネル
２５      マイク
３６      スピーカＡ
３７      スピーカＢ
３８      スピーカＣ
３９      スピーカＤ
５１      演奏音量調整データベース
５２      ガイド音量調整データベース
【図１】
2005037827.tif 000003
【図２】
2005037827.tif 000004
【図３】
2005037827.tif 000005
【図４】
2005037827.tif 000006
【図５】
2005037827.tif 000007
【図６】
2005037827.tif 000008
【図７】
2005037827.tif 000009